(57)【要約】      （修正有）【課題】輸送コストを抑え、搬入、撤去、保管が容易な収納庫を提供する。【解決手段】基台１０および天板２０と、積み重ねが可能な一以上の収納庫本体３０とからなる。収納庫本体は、外周側壁部４０と、ヒンジを介して上方に向かって折り畳み可能に設けた底板とを備える。外周側壁部は、背板４１と、ヒンジを介して内側に向かって折り畳み可能に構成した左右両側壁４２、４３と、正面に配した開閉ドア４５とによって構成する。基台上面に突起１１を設ける一方、この突起と係合する孔部を収納庫本体の下面に設け、天板２０の下面に孔部を設ける一方、この孔部と係合する突起を収納庫本体の上面に設ける。収納庫本体が、内側に向かって折り畳み可能となるため、輸送、撤収、保管時には、外周側壁部と底板を折り畳んで容積をコンパクトに収縮できる。【選択図】図１
0003143672.tif 000002
【実用新案登録請求の範囲】
【請求項１】
基台および天板と、積み重ねが可能な一以上の収納庫本体とからなる収納庫であって、
前記収納庫本体は、
平面方形をなす外周側壁部と、
ヒンジを介して上方に向かって折り畳み可能に設けた底板とを備え、
前記外周側壁部は、
背板と、
ヒンジを介して内側に向かって折り畳み可能に構成した左右の側壁と、
正面に配した開閉ドアとによって構成するとともに、
前記基台の上面に複数の突起または孔部を設ける一方、この突起または孔部と係合する孔部または突起を収納庫本体の下面に設け、
前記天板の下面に複数の孔部または突起を設ける一方、この孔部または突起と係合する突起または孔部を収納庫本体の上面に設けることを特徴とする収納庫。
【請求項２】
底板は、開閉ドアの下に配したヒンジを介して折り畳み可能に軸着してなることを特徴とする請求項１記載の収納庫。
【請求項３】
上下に収納庫本体を複数積み上げ、最下部に基台を備え、最上部に天板を備えることを特徴とする請求項１または請求項２記載の収納庫。
【請求項４】
側壁に連結孔を設け、当該連結孔に挿通させた連結具を介して左右の収納庫本体を連結固定することを特徴とする請求項１乃至請求項３記載の収納庫。
【考案の詳細な説明】
【技術分野】
【０００１】
本考案は、収納庫に係り、とくに開閉ドアを多数個に区画して備える収納庫に関する。
【背景技術】
【０００２】
開閉ドアを多数個に区画して備える収納庫、例えば、更衣室ロッカーや、駅構内に設けるコインロッカー等は、背板および側壁に一枚パネルを用いて大きなケース体を作り、このケース体の内部に仕切板を配して適当な大きさの空間に区画し、区画した各空間ごとに開閉ドアを設ける。
【０００３】
利用する者は、開閉ドアを開けて荷物を入れ、開閉ドアを閉じて施錠を行う。施錠および解錠が有料の場合もあるし、無料の場合もある。無料の場合でも、コイン投入によって施錠させるものや、磁気カードを用いて施解錠を行う方式がある。有料利用の場合も同じである。
【０００４】
このように、開閉ドアを多数個に区画して備える収納庫は、大勢の人間が一時的に荷物を保管する手段として優れており、図書館等の公共施設、温泉等の娯楽施設、空港ターミナルビルや鉄道駅等の輸送施設、あるいは職場更衣室などにおいて幅広く利用される。
【特許文献１】なし
【考案の開示】
【考案が解決しようとする課題】
【０００５】
問題は、製品輸送の経済効率（コストパフォーマンス）が悪い点にある。
【０００６】
このようなタイプの収納庫、つまり多数の開閉ドアを備える収納庫は、従来、いわゆる据え置き設置型であると考えられたため、開閉ドアの数が例えば２０〜３０を超えるような比較的大型の収納庫でも全体を一体に成形し、ケース本体ごと輸送して設置していた。
【０００７】
しかし、収納庫の製造場所と設置場所は必ずしも近距離ではない。例えば、北海道で製造した収納庫を関東地区や関西以遠に搬送する際には、輸送コストが嵩むため、製品原価を抑えても需要を伸ばすことは困難である。
【０００８】
また、大規模イベント会場に設置する臨時の収納庫のように、長期間の使用を前提としない、短期利用の収納庫の需要がある。例えば、一週間内外の限られた期間内で大型の興業イベントが開催されるとき、イベント期間中は毎日数百〜数千、累計で数万を超える観客が集まる場合がある。
【０００９】
このような、短期集中型の大規模イベントを屋外施設等で開催するときは、手荷物を保管するための多数のロッカーが必要になる一方で、イベント終了後は速やかにロッカーを撤収して、適当な場所に保管しておく必要が生じるところ、従来の一体成形型のロッカーでは、このような事情に対応できない。
【００１０】
そこで、本考案の目的は、輸送コストを抑え、搬入、撤去、保管が容易な収納庫を提供することにある。
【課題を解決するための手段】
【００１１】
前記目的を達成して、課題を解決するため、本考案に係る収納庫は、基台および天板と、積み重ねが可能な一以上の収納庫本体とからなる収納庫であって、前記収納庫本体は、平面方形をなす外周側壁部と、ヒンジを介して上方に向かって折り畳み可能に設けた底板とを備え、前記外周側壁部は、背板と、ヒンジを介して内側に向かって折り畳み可能に構成した左右両側壁と、正面に配した開閉ドアとによって構成するとともに、前記基台の上面に複数の突起（または孔部）を設ける一方、この突起（孔部）と係合する孔部（または突起）を収納庫本体の下面に設け、前記天板の下面に複数の孔部（または突起）を設ける一方、この孔部（突起）と係合する突起（孔部）を収納庫本体の上面に設ける。
【００１２】
かかる構成によれば、収納庫本体が、内側に向かって折り畳み可能な外周側壁部と、上方に向かって折り畳み可能な底板を備えるので、設置使用時には、外周側壁および底面を展開し、収納庫本来の機能を営ませることができる一方、輸送、撤収、保管時には、外周側壁部と底板を折り畳んで容積をコンパクトに収縮させることが可能となる。
【００１３】
収納庫本体の展開と折り畳みは容易である。任意数の収納庫を設置し撤収する場合も、従来の一体成形型の収納庫と遜色ない作業時間であり、一個一個の収納庫本体は軽量でありコンパクトであるから、搬入撤去の作業時に要する精神的負担は格段に軽減される。階段の上り下りや通路の曲がり角で壁を傷つけないように慎重に収納庫を運び入れる（運び出す）という運搬作業上の手間を省くことが出来るからである。
【００１４】
請求項２は、上方に向かって折り畳み可能な底板の取り付け位置に関するものである。底板は、ヒンジを介して上方に折り畳みが出来れば、その取り付け位置は自由であるが、開閉ドアの下に配することが望ましい。開閉ドアは、強度保証のためにフレーム（枠材）を介して装着することが好ましく、このようなフレーム（枠材）を設ける場合は、底板のヒンジを開閉ドアの下側に設けると耐久性の確保が容易となるからである。
【００１５】
請求項３は、複数の収納庫本体を積み上げて使用する状態である。本願考案に係る収納庫は、一個の収納庫本体でも使用が可能である。その場合は、収納庫本体の下に基台を配し、収納庫本体の上に天板を配して使用すればよい。
【００１６】
しかしながら、収納庫本体には、基台の上面に配した突起、および天板の下面に設けた孔部にそれぞれ係合する手段を備えている。このため、収納庫本体それ自体も上下方向に任意数を積み重ねることが可能となっている。上下方向に複数の収納庫本体を積み重ねて使用するときは、基台は最下部にのみ配すればよく、天板は最上部にのみ配すればよい。
【００１７】
請求項４は、収納庫本体を左右に連結増設させるための構造である。この場合は、左右の側壁に連結孔を設け、当該連結孔に挿通させた連結具を介して左右の収納庫本体を連結固定する。このようにすれば、上下方向に積み上げた収納庫本体を、左右方向においても連結支持できるため、必要に応じて任意数の収納庫本体を設置することが可能となる。
【００１８】
このため、設置スペースに応じて見栄えの良い収納庫の配置デザインが出来る。従来の一体成形型の収納庫のように、必要数に足りないのを承知で設置スペースに無駄な空間を作るような、また、見た目に悪いバラバラのデザインの収納庫を設置するような不具合も解消できる。
【考案の効果】
【００１９】
本考案に係る収納庫は、収納庫本体が折り畳み可能であるため、輸送コストを抑え、搬入、撤去、保管を容易とすることが出来る。また、任意数の積み重ねが可能であるから、設置場所に応じた段数の収納庫とすることが出来る。
【考案を実施するための最良の形態】
【００２０】
図１、図２は、本考案に係る収納庫の一実施形態を示すものである。この収納庫は、基台１０、天板２０、収納庫本体３０とからなる。
【００２１】
基台１０は、平面略方形で、その上面に複数の突起１１を備えている。基台１０の高さは、適宜設定してよい。通常は、２〜６ｃｍあればよい。
【００２２】
突起１１は、この実施形態では、基台１０の上面の幅中央部から上方に突出させた板状材として示してあるが、形状は限定されない。例えば、円柱形であってもよい。
【００２３】
また、この実施形態では、基台１０を、中央に隙間を設けた枠材状に示してあるが、適宜箇所、例えば基台１０の底面に板材を設けても良いことは勿論である。
【００２４】
天板２０は、収納庫本体３０の上面を被覆させる性質上、その上面に板材２１を設けてある。外周部には、枠材２２を設けて、収納庫本体３０の上面にかぶせやすいようにしてある。枠材２２の上下寸法は大きくする必要がない。
【００２５】
また、図２に示すように、天板２０の枠材２２の下面には、収納庫本体３０と係合させる孔部２４を設けておく。この孔部２４は、板材２１によって被覆されるので外部には露出しない。
【００２６】
天板２０は、基台１０と同様に枠材の上に板材２１を設けた構造としても良いし、箱状体（ボックス状）として成形しても良い。
【００２７】
収納庫本体３０は、平面方形をなす外周側壁部４０と、ヒンジ３５を介して折り畳み可能に設けた底板３６とからなる。
【００２８】
そして、外周側壁部４０は、背板４１と、ヒンジＨを介して内側に向かって折り畳み可能に構成した左右の側壁４２、４３と、正面に配した開閉ドア４５とによって構成する。
【００２９】
背板４１は平板を用いることが望ましい。この背板４１は折り曲げする必要がないからである。また背板４１は、開閉ドア４５を閉じたときに当該開閉ドア４５と平行になるよう配設する。
【００３０】
開閉ドア４５は、ドア用の開口フレーム４６を用いて取り付けることが望ましい。開閉ドア４５の開け閉めに起因する捻れや衝撃によって、左右の側壁４２、４３にダメージを与えないようにするためである。なお、図１において、符号Ｋは鍵穴、Ｑは把手である。
【００３１】
開口フレーム４６は、剛性のある金属板または樹脂板を用いて成形し、開閉ドア４５の開け閉めによる捻れや衝撃に抗する強度を保つようにしておく。
【００３２】
また、開口フレーム４６には、左右の側壁４２、４３の手前側端縁を軸着固定するためのヒンジ（図示せず）、底板３６を軸着固定するためのヒンジ３５（図２）を配するほか、開閉ドア４５の裏面に設ける施錠用のロック装置４７（図２）を配する空間、および底板３６を折り畳んで収納させるための空間を設けることが望ましい。このため、開口フレーム４６の奥行きは、若干の余裕を見込んで５〜６ｃｍ前後とすることが望ましい。
【００３３】
底板３６は、開口フレーム４６の下端部に設けたヒンジ３５を介して、図２図中矢印Ｄまたは矢印Ｕ方向に回動出来るようにしておく。収納時に折り畳むときは、矢印Ｕ方向（上方）に回動させて開口フレーム４６に収め、設置の際の展開時には、左右の側壁４２、４３を展開させた後に矢印Ｄ方向（下方）に回動させて収納庫本体３０の底面を遮蔽させる。
【００３４】
左右の側壁４２、４３は、収納庫本体３０の内側に向かって折りたたみが可能となるよう、二枚のパネル材を、縦方向に配したヒンジＨ１、Ｈ２を介して連結させる。そして、開閉ドア４５側の端部は、開口フレーム４６に配した縦方向のヒンジ（Ｈ３）に固定し、背板４１側の端部は、背板４１の左右両側に設けた縦方向のヒンジ（Ｈ４）を介して軸着する。
【００３５】
左右の側壁４２、４３を構成する二枚のパネル材は、奥行き方向の略中間において縦方向に分割してあり、両者は、例えば、縦方向に配したふたつのヒンジＨ１、Ｈ２を介して連結させておく（図３）。
【００３６】
この部分に配する蝶番構成は、ひとつのヒンジ部品を用いても実現できる。しかしながら、繰り返して使用するためには、高い強度保証が求められる。このため、本実施形態では、図３に示すように、折り畳みを行う端縁に二つの中空材５１、５２を配し、両者を連結させるブリッジ５７を介して、中空材５１、５２にピン部材５３、５４を挿入させるによって、高い強度をもったヒンジＨ１、Ｈ２を構成している。
【００３７】
ブリッジ５７は、少なくともひとつ、好ましくは上下二段に設けたふたつのフランジに、ピン部材５３、５４を挿通させるピン孔Ｌを備え、ここにピン部材５３、５４を挿通させた後は、二枚のパネル材が折り畳まれたときも展開されたときもパネル材の結合状態を保つ機能を営む。なお、図３では、ブリッジ５７のフランジＦをひとつとして示してある。
【００３８】
左右の側壁４２、４３の上端部および下端部には、パネル材の変形を防止する補強材６２、６５を設ける。補強材６２、６５は、例えば断面略矩形状の内部中空材として重量軽減を図ることが望ましい。
【００３９】
上側の補強材６２の上面には、天板２０の枠材２２の底面に配した孔部２４に係合できる突起６３を設ける。孔部２４と突起６３の数は合致させる。下側の補強材６５の下面には、基台１０の上面に配した突起１１と係合できる孔部６７を設ける（図２参照）。
【００４０】
従って、かかる収納庫によれば、保管時あるいは輸送時には、基台１０、天板２０を取り外して収納庫本体３０を折り畳むことが出来る。折り畳むときには、底板３６を上方に回動させて開口フレーム４６に納めてから、左右の側壁４２、４３を内側に折り畳めばよい。こうすることによって収納庫本体３０は、無用な空間容積のないコンパクトな形状とすることが出来る。これにより、保管場所も節約できるだけでなく、撤収時、搬送時、搬入時などの各段において取り扱いが容易となり、またコンパクト化することによって輸送コストを低減させることが可能となる。
【００４１】
一方、かかる収納庫を設置現場に搬入して展開するときは、床面に基台１０を設置してから、展開した収納庫本体３０を基台１０の上に載せ、その上に天板２０をかぶせれば良い。基台１０と収納庫本体３０は、基台１０の上面に配した突起１１と下側の補強材６５の下面に設けた孔部６７とを係合させることによって行い、収納庫本体３０と天板２０とは、上側の補強材６２の上面に設けた突起６３と天板２０の枠材２２の底面に配した孔部２４とを係合させることによって行う。一個一個の収納庫本体３０は軽量であるから、作業性は良い。
【００４２】
また、収納庫本体３０の上面に設けた突起６３および下面に設けた孔部６７は、すべての収納庫本体３０に共通であるから、図４、図５に示すように、収納庫本体３０は、それ自体を上下に積み重ねて設置できる。最下段に基台１０を配し、最上段に天板２０を配すればよいから、任意数の上下段構成の収納庫を実現できるわけである。このため、設置場所が不規則な空間のところ、例えば、階段下に収納庫（コインロッカー等）を配設するような場合でも、空間形状に合わせて効率的デザインをもって収納庫を設置することが出来る。
【００４３】
本考案に係る収納庫は、実施形態で説明した構成に限定されない。例えば、底板３６の軸着位置は問わない。背板４１の下端部に配しても良いし、左右の側壁４２、４３の下端部に配しても良い。
【００４４】
また、一般的なコインロッカーのように、複数段に積み上げた収納庫を左右に複数配するときは、左右の側壁４２、４３に孔部を設け、この孔部に連結具を挿通して締め固定すれば、左右方向のぐらつきも防止できる。その場合は、すべての収納庫の側壁４２、４３に孔部を設ける必要はない。例えば最上段のものだけ、或いは中間部のものだけと云った具合に適宜箇所で連結固定を行えば良いからである。
【００４５】
収納庫本体３０と、基台１０および天板２０との係着は、係合凹凸（突起と孔部）とによって行うが、いずれの側に突起を設けても、係合相手に孔部があれば係着できることは当然である。前記実施形態では、基台１０側に突起１１を設け、収納庫本体３０の下面に孔部６７を設ける旨説明したが、その関係は逆でも良い。また、天板２０側に孔部２４を設け、収納庫本体３０の上面に突起６３を設ける旨説明したが、その関係は逆でも良い。
【図面の簡単な説明】
【００４６】
【図１】実施形態に係る収納庫を例示する斜視図である。
【図２】実施形態に係る底板の固定状態を例示する図である。
【図３】実施形態に係る側壁のヒンジを例示する図である。
【図４】実施形態に係る収納庫本体を複数積み上げる場合を例示する図である。
【図５】実施形態に係る収納庫本体を複数組み合わせた状態を例示する図である。
【符号の説明】
【００４７】
１０  基台
１１  （基台の）突起
２０  天板
２１  板材
２２  枠材
２４  （天板の）孔部
３０  収納庫本体
３５  （底板の）ヒンジ
３６  底板
４０  外周側壁部
４１  背板
４２、４３  側壁
４５  開閉ドア
４６  開口フレーム
４７  ロック装置
５１、５２  中空材
５３、５４  ピン部材
５７  ブリッジ
６２、６５  補強材
６３  （収納庫本体の）突起
６７  （収納庫本体の）孔部
Ｆ  フランジ
Ｈ  （側壁の）ヒンジ
Ｋ  鍵穴
Ｌ  ピン孔
Ｑ  把手
【図１】
0003143672.tif 000003
【図２】
0003143672.tif 000004
【図３】
0003143672.tif 000005
【図４】
0003143672.tif 000006
【図５】
0003143672.tif 000007